(57)【要約】【課題】  運搬作業の作業性を向上させた縦型遊技機用の運搬機構を提供する。【解決手段】  遊技機本体を開閉連結支持機構を介して開閉可能に連結支持する外枠１０の下部に運搬機構が設けられる。運搬機構は車輪１３０を転動自在に支持する支持ブラケット１２０と、外枠の下部に設けられ支持ブラケット１２０を支持するとともに開閉連結支持機構における支持部２ａ，３ａが形成されたベース部材１１０と、ベース部材１１０に支持された支持ブラケット１２０を車輪１３０が外枠１０の外方に突出された使用位置Ｃｐに係止保持する係止構造１５０とを備え、支持ブラケット１２０を使用位置Ｃｐに係止したときに車輪１３０が外枠１０の後方に突出して配設され、車輪１３０を接地させて開閉連結支持機構により連結された遊技機本体を支持させた状態で前後方向に転がり運搬可能に構成される。【選択図】  図８
2005253554.tif 000002
【特許請求の範囲】
【請求項１】
上下左右の枠板を有して外郭方形の枠状に形成され、開閉連結支持機構を介して遊技構造体を前方に開閉可能に連結支持する基枠体を備えた縦型遊技機用の運搬機構であって、
転動体を転動自在に支持する転動体支持部材と、
前記基枠体の下部に設けられ、前記転動体支持部材を支持するとともに前記開閉連結支持機構における支持部が形成されたベース部材と、
前記ベース部材に支持された前記転動体支持部材を前記転動体が前記基枠体の外方に突出された使用位置に係止保持する係止構造とを備え、
前記転動体支持部材を前記使用位置に係止したときに前記転動体が前記基枠体の外方に突出して配設され、前記転動体を接地させて前記開閉連結支持機構により連結された前記遊技構造体を支持させた状態で転がり運搬可能に構成したことを特徴とする縦型遊技機用の運搬機構。
【請求項２】
前記使用位置では、前記基枠体の外方に突出された前記転動体が前記基枠体の底面と同一面または底面よりも上方に位置して前記基枠体の後方に配設され、前記基枠体を正立させた状態において前記基枠体の底面が接地して前記基枠体が立設姿勢で支持される一方、前記基枠体を後方に傾けた状態においては前記転動体が接地して前記基枠体が後傾姿勢で支持され、当該後傾姿勢で前後方向に転がり運搬可能に構成したことを特徴とする請求項１に記載の縦型遊技機用の運搬機構。
【発明の詳細な説明】
【技術分野】
【０００１】
本発明は、上下左右の枠板を有して外郭方形の枠状に形成され、開閉連結支持機構を介して遊技構造体を前方に開閉可能に連結支持する基枠体を備えた縦型遊技機用の運搬機構に関する。
【背景技術】
【０００２】
上記のような基枠体を備えた縦型遊技機としてパチンコ機やアレンジボール機、雀球遊技機などが広く知られている。この種の遊技機の代表例とされるパチンコ機では、上下左右の枠板が外郭方状に枠組みされた固定保持用の基枠体（外枠と称される）と、この基枠体の前側開口面域に合わせた方形状の前枠に多数の遊技部品が組み付けられて構成された遊技構造体（遊技機本体）とが、互いの一側縁に設けられた開閉連結支持機構を介して横開き開閉可能に連結され、他側縁に設けられた施錠装置を利用して基枠体の前面を覆う閉止姿勢に連結保持した状態で遊技に供される。
【０００３】
製造工場で基枠体と遊技構造体とを連結して完成されたパチンコ機は、一旦倉庫に保管された後、出荷要求に応じて倉庫から搬出してトラック等で遊技施設に運搬され、納入された遊技施設で島大工と称される専門業者により１台ずつ設置枠台にセットされて固定設置されている。ところが、基枠体と遊技構造体とが連結されたパチンコ機は、一般的に２０kg程度の質量を有する重量物であり、かつ短時間のうちに多数のパチンコ機を取り扱う必要があることから、上記搬出作業やトラックから遊技施設への搬入作業、遊技施設内の移動作業などの各作業（運搬作業）は相当な重労働とされている。
【０００４】
このような背景のもと、重量物であるパチンコ機の運搬を補助する手段として、基枠体の左右の枠板に把持可能な把持部を設けた技術（例えば特許文献１）や、基枠体の外周部にキャスターを設けた技術（例えば特許文献２）などが知られている。
【特許文献１】特開２００１−１２０８０４号公報
【特許文献２】特開平１０−２９５９０６号公報
【発明の開示】
【発明が解決しようとする課題】
【０００５】
しかしながら、例えば基枠体に把持部を設けた形態の技術では、パチンコ機を持ち上げる行為自体については幾分作業性が改善されるものの、パチンコ機を運搬する際に作業者がパチンコ機を持ち上げて全重量を支持しながら移動しなければならない点に差異がなく、運搬作業が重労働であることに変わりがなかった。
【０００６】
一方、基枠体の外周部にキャスターを着脱可能に設けた形態の技術では、基枠体の外周部にキャスターを装着してパチンコ機の荷重を支持させることで、パチンコ機を容易に転がり移動させることができるようになり、重量物を持ち上げ支持する負担を軽減することができる。しかしながら、キャスターの着脱するための機構部品を外枠に付加的に設ける構成とすれば、部品点数および組み立て工数が増大して遊技機の生産コストが増大するうえ、遊技機の荷重を支持させたときに外枠に負荷がかかり歪みを生じさせるおそれがあるという問題があった。また基枠体の外周部にキャスターを装着したままではパレット等に積載して運搬することが困難であり、単体運搬とすればトラックの荷台や傾斜をもった床面等でパチンコ機が移動しあるいは転倒してしまうおそれがある。そしてこのような不具合を回避するために逐一キャスターを着脱しなければならないとすれば、運搬作業が極めて煩雑になり現実的でないという問題があった。
【０００７】
また、キャスターの車輪を基枠体よりも外周方向に突出した位置に配設すると、パチンコ機は常時車輪に支持された状態になるため、水平な床面上でさえ機体を安定して自立させることが困難であるという問題があった。すなわち、パチンコ機は前後方向の厚さ寸法が薄型である一方上下方向の高さ寸法が高く、前後方向に転倒しやすいという特性がある。このため、基枠体の下部に前後方向に回動する車輪を設けた場合には機体を自立させること自体が難しく、また基枠体と同程度の前後方向幅を有して左右方向に回動する大型の車輪（ローラー）を設けた場合には、水平な床面上に自立させることは可能になるが、車輪を含めたキャスターの機構が大型化するという問題があった。
【０００８】
さらに、基枠体の外周部に左右方向に回動する車輪を設けてパチンコ機を機体の左右方向に転がり移動させるような構成では、パチンコ機を安定的に運搬することが難しいという問題があった。すなわち、前後に転倒しやすいパチンコ機が移動中に倒れないように機体の上部を左右両手で挟み込むように支持したうえ、定まりにくい進行方向を、両手で調整しながら手押し運搬しなければならず、多数のパチンコ機を運搬しなければならない作業者にとってかなり疲労を伴う作業になっていた。
【０００９】
本発明は上記のような事情に鑑みてなされたものであり、とかく重労働とされる縦型遊技機の搬出から設置に至る各運搬作業の負担を軽減し、作業性の良好な運搬機構を提供することを目的とする。
【課題を解決するための手段】
【００１０】
上記目的達成のため、本発明は、上下左右の枠板を有して外郭方形の枠状に形成され、開閉連結支持機構を介して遊技構造体を前方に開閉可能に連結支持する基枠体（例えば、実施形態における外枠１０）を備えた縦型遊技機用の運搬機構であり、転動体を転動自在に支持する転動体支持部材（例えば、実施形態における支持ブラケット１２０）と、基枠体の下部に設けられ転動体支持部材を支持するとともに開閉連結支持機構における支持部（例えば、実施形態におけるヒンジ構造２ａ、または支持受け部３ａ）が形成されたベース部材と、ベース部材に支持された転動体支持部材を転動体が基枠体の外方に突出された使用位置に係止保持する係止構造（例えば、実施形態における角度位置固定ボルト１５５）とを備え、転動体支持部材を使用位置に係止したときに転動体が基枠体の外方に突出して配設され、転動体を接地させて開閉連結支持機構により連結された遊技構造体を支持させた状態で転がり運搬可能に構成される。
【００１１】
なお上記使用位置では、基枠体の外方に突出された転動体が基枠体の底面と同一面または底面よりも上方に位置して基枠体の後方に配設され、基枠体を正立させた状態において基枠体の底面が接地して基枠体が立設姿勢で支持される一方、基枠体を後方に傾けた状態においては転動体が接地して基枠体が後傾姿勢で支持され、当該後傾姿勢で前後方向に転がり運搬可能に構成することが好ましい。
【発明の効果】
【００１２】
本発明に係る運搬機構では、転動体を支持する転動体支持部材が開閉連結支持機構の支持部を有するベース部材に支持される。そして転動体支持部材を使用位置に係止したときに転動体が基枠体の外方に突出して配設され、転動体を接地させて開閉連結支持機構により連結された遊技構造体を支持させた状態で転がり運搬可能に構成される。このため、運搬作業者は運搬機構を使用するときに転動体支持部材を使用位置に係止することで遊技構造体を含む外枠全体の荷重を支持させて転がり運搬することができ、運搬作業の作業負担を軽減することができる。またベース部材に遊技構造体の支持部が形成されているため、部品点数および組み立て工数を削減して遊技機の生産コストを低減し得るとともに、基枠体を介することなく遊技構造体の荷重を直接的に運搬機構に支持させることで基枠体に作用する負荷およびこれに起因する歪みを低減して安定性の高い運搬機構および遊技機を提供することができる。
【００１３】
なお、使用位置における転動体の配設位置を機枠体後方の底面以上の高さ位置とし、基枠体を正立させた状態では基枠体の底面が接地して立設姿勢で支持される一方、基枠体を後方に傾けた状態では転動体が接地して基枠体が支持され、当該後傾姿勢で前後方向に転がり運搬可能に構成することにより、運搬作業者は、遊技機の前面または背面と対向する前向きの運搬姿勢で、機体を後方に傾け比較的幅がある縦型遊技機の上部左右を支えて、機体を安定的に、かつ容易に手押し運搬することができ、あるいは遊技機に背を向けた運搬姿勢で、縦型遊技機の上部中央を支えて機体を安定的に、かつ容易に引っ張り運搬することができる。従って、本構成によれば、縦型遊技機の搬出から設置に至る各運搬作業の負担を軽減し、作業性の良好な運搬機構を提供することができる。
【００１４】
また、遊技機の運搬過程で転動体を使用位置に設定しておけば、基枠体を後方に傾けるだけで遊技機の重量を転動体に支持させることができ、基枠体の上部を支えて容易にかつ安定的に転がり運搬することができる。また転動体が使用位置に設定されている状態であっても、基枠体を正立させることで基枠体の底面を接地させて自立させることができるため、緩い傾斜をもった床面上に仮置きしても遊技機が自ら転がり移動してしまうようなことがない。
【００１５】
さらに、遊技機の完成時に転動体を使用位置に設定しておけば、遊技施設の設置枠台に固定するまでの運搬過程では遊技機を傾斜させまたは正立させるだけで転動体支持と底板による安定支持とを行わせることができ、移動と仮置きのたびに転動体を着脱しまたは使用位置と収容位置とに切り換える必要がない。従って、本構成によれば、縦型遊技機の搬出から設置に至る各運搬作業の負担をさらに軽減し、作業性の良好な運搬機構を提供することができる。
【発明を実施するための最良の形態】
【００１６】
以下、本発明を実施するための形態について、図面を参照しながら説明する。本発明に係る運搬機構を備えた縦型遊技機の代表例として、図１の(ａ)図および(ｂ)図にパチンコ機の正面図および背面図を示しており、まずこの図面を参照してパチンコ機ＰＭの全体構成について要約説明する。
【００１７】
パチンコ機ＰＭは、外郭方形枠サイズに構成されて縦向きの固定保持枠をなす外枠１０の前面に、外枠１０の前側開口面域に合わせた方形枠サイズに形成された開閉搭載用の前枠２０が、互いの整合位置に設けられた開閉連結支持機構１，２，３により前方に横開き開閉および着脱が可能に取り付けられ、常には左右水平に支持された閉止姿勢で施錠装置を利用して外枠１０と係合された閉鎖状態に保持される。
【００１８】
外枠１０は、木材や樹脂材等で成形加工された複数本の定形尺の枠板部材、すなわち上下の枠板１１，１４および左右の枠板１２，１３を直角に枠組み連結するとともに、各隅角部に所要の補強金具を固定して外郭方形の枠状に構成される。下枠板１４は、底板１５の上面前縁に沿って支持台板としての幕板１６が左右の枠板１２，１３間に亘って連結されて頑強な耐久強度を有する構造とされる。なお外枠１０の外形寸法は、一般的に縦約８１cm、横約５１cm、前後約７cm程度（底板は約９cm程度）、各枠板の板厚は約１９mm程度である。
【００１９】
一方、前枠２０は、樹脂材料や木材等を用いて外枠１０の前側開口面域に合わせた若干小型の方形枠サイズに形成されており、パチンコ機ＰＭの遊技構成部品を搭載する開閉搭載枠とされる。前枠２０の上部には前面域に合わせた方形状のガラス扉４および上球皿６がともに横開き開閉および着脱可能に組み付けられるとともに、上球皿６の下側には遊技球を貯留する下球皿７および発射ハンドル８が取り付けられ、発射ハンドル８の裏側には遊技球を発射する遊技球発射装置９が装備されている。前枠２０の裏面側に形成された収容枠には所定のゲージ設定で構成された遊技盤５が着脱可能にセット保持され、その背後に球貯留タンクや賞球払出機構等を有する裏セット盤３０が後方に横開き開閉および着脱可能に装備されている。裏セット盤３０の各部には主制御基板やターミナル基板等の各種回路基板や電子部品などが取り付けられ、遊技盤５、前枠２０および裏セット盤３０の各機器が図示省略するコネクタケーブルで接続されて、実質的な遊技機本体をなす遊技構造体ＰＳが構成される。
【００２０】
そして開閉連結支持機構は、開閉連結機構１，２と閉鎖支持機構３とからなり、このうち開閉連結機構１，２は、一般的な形態として外枠１０および前枠２０の互いの左側縁に固定されて互いに整合し得るヒンジ構造１ａ，１ｂ、２ａ，２ｂの軸ピンと軸孔との嵌挿ヒンジ形態とされる。また閉鎖支持機構３は、幕板１６の上面に設けられた支持受け部３ａと前枠２０の下面整合位置に形成された座部３ｂとからなり、上下の開閉連結機構１，２に片持ち支持された遊技構造体ＰＳを閉鎖したときに相互に係合して前枠２０を左右水平に支持し得るようになっている（図７、図１０等を参照）。これにより遊技構造体ＰＳが、上下の開閉連結機構１，２を利用して外枠１０に着脱および前方への横開き開閉が可能に連結され、閉鎖支持機構３により水平姿勢で安定支持される。そして、互いの右側縁に設けられた施錠装置により閉鎖状態に保持されて一体のパチンコ機ＰＭが形成される。
【００２１】
さて、以上のように概要構成されるパチンコ機ＰＭにあって、外枠１０の上部に把持構造５０が設けられ、下部にキャスター機構１００が設けられている。以下では、まず図２および図３を参照して把持構造５０について説明する。なお図２は把持構造５０を斜め上方から透視して見た斜視図、図３は把持構造５０の側面図である。
【００２２】
把持構造５０は、外枠１０における上枠板１１の下面中央部に止着されたハンドルベース５１と、このハンドルベース５１にスライドおよび揺動自在に取り付けられたバーハンドル５２を主体として構成される。
【００２３】
ハンドルベース５１は、プレート部５１ａと、このプレート部５１ａの左右側部が直角に屈曲されて上方に延びる支持辺部５１ｂ，５１ｂ、および支持辺部の端部がさらに左右外方に直角に折り曲げられて形成された固定辺部５１ｄ，５１ｄなどからなり、左右の支持辺部５１ｂ，５１ｂにはバーハンドル５２の線径よりもわずかに大きめの溝幅で前後に延びる長孔状の支持孔５１ｃ，５１ｃが形成され、固定辺部にはハンドルベース５１を上枠板１１にねじ止めするためのネジ挿通孔が複数穿設されている。ハンドルベース５１は、例えば板厚1.6〜2.3mm程度の鋼板を打ち抜きおよび曲げ加工して図示する形状に成形し、所要の表面処理を施して形成される。
【００２４】
バーハンドル５２は、中央の把持部５２ａと、この把持部の左右側部が直角に折り曲げられて左右平行に延びる脚部５２ｂ，５２ｂ、および左右の脚部の端部がさらに左右外方に直角に折り曲げられて把持部５２ａと平行に延びる係合軸部５２ｃ，５２ｃなどからなり、例えば線径６〜10mm程度のみがき鋼棒ないしステンレス鋼棒を曲げ加工し、必要に応じて所要の表面処理を施して形成される。バーハンドル５２の左右の脚部５２ｂ，５２ｂの外幅寸法は、ハンドルベース５１における左右の支持辺部５１ｂ，５１ｂの内幅寸法よりも幾分小さめに設定されるとともに、脚部５２ｂの長さは係合軸部５２ｃを支持孔５１ｃの溝前端に係合させた状態で、把持部５２ａがプレート部５１ａの後端部からわずかに突出して指掛け容易に配設される寸法になっている。
【００２５】
バーハンドル５２は、ハンドルベース５１の左右の支持孔５１ｃ，５１ｃに左右の係合軸部５２ｃ，５２ｃをそれぞれ通して係合させ、支持辺部５１ｂ，５１ｂの外側に突出した係合軸部に係止リング５３，５３をカシメ固着することでハンドルベース５１に取り付けられ、支持孔５１ｃ，５１ｃと係合軸部５２ｃ，５２ｃとの係合により、支持孔５１ｃ，５１ｃの延びる方向（前後方向）にスライド移動自在、および係合軸部５２ｃ，５２ｃの軸線を揺動軸として揺動自在に支持される。
【００２６】
そして、ハンドルベース５１を上枠板１１の下面側中央部に位置合わせし、固定辺部５１ｄ，５１ｄの下側からネジ挿通孔にビスを挿通してねじ止めすることで、外枠１０の上部中央に把持構造５０が形成される。
【００２７】
こうして形成された把持構造５０では、図３中に二点鎖線で示すように、バーハンドル５２を前方にスライドさせて係合軸部５２ｃを支持孔５１ｃの溝前端に係合させて配設したときに、バーハンドル５２がハンドルベースのプレート部５１ａと上枠板１１との間の収容空間内に収容され、後端の把持部５２ａがプレート部５１ａの後縁に沿って配設される。また上枠板１１は把持構造近傍の後縁面が前方にアーチ状に切り欠かれており、把持部５２ａを容易に引き出し操作できるようになっている。
【００２８】
一方、把持構造５０を利用するときには、図３中に実線で示すように、把持部５２ａに指を掛けてバーハンドル５２を後方にスライドさせ、係合軸部５２ｃが支持孔５１ｃの溝後端に係合するまで引き出す。すると把持部５２ａが外枠１０から後方に突出して上下に揺動可能に配設され、運搬作業者はこの把持構造５０を利用してパチンコ機ＰＭを容易に運搬することができる。なお、パチンコ機ＰＭの運搬操作についてはキャスター機構１００の作用説明とともに後に詳述する。
【００２９】
次に、外枠１０の下部に設けられたキャスター機構１００の構成について、図４〜図７の各図を参照して説明する。ここで図４は背面視左側のキャスター機構を分解状態で示す斜視図、図５は背面視右側のキャスター機構を分解状態で示す斜視図、図６はキャスター機構における球面軸受構造の側断面図、図７はキャスター機構の背面図、図８はキャスター機構の平面図である。
【００３０】
なお、以降ではパチンコ機ＰＭを後方から見た状態を主として説明するため、図１(ｂ)および図７に示す背面図における左右方向をもって左側・右側と称して説明する。また各図には、ほぼ左右対称に構成したキャスター機構を底板１５の左右に各１台ずつ配設した構成例を示しており、説明の便宜上から両者を区別して説明する場合には、背面視における左側のキャスター機構およびその構成部材に添え字「Ｌ」を付して１００Ｌ，１１０Ｌのように、右側のキャスター機構およびその構成部材に添え字「Ｒ」を付して１００Ｒ，１１０Ｒのように示す。そして図５および図６では、ともに左側のキャスター機構１００Ｌを使用位置、右側のキャスター機構１００Ｒを収容位置に設定した状態を示している。
【００３１】
キャスター機構１００（１００Ｌ，１００Ｒ）は、車輪１３０を回動可能に支持する支持ブラケット１２０、外枠１０の下部に設けられて支持ブラケット１２０を着脱可能および車輪１３０が外枠１０の内方に収容された収容位置Ｂｐと外枠１０の後方に突出させた使用位置Ｃｐとに水平旋回および上下揺動可能に支持するベース部材１１０、ベース部材に支持された支持ブラケット１２０を使用位置Ｃｐに係止保持する係止構造１５０（角度位置固定ボルト１５５）などからなり、支持ブラケット１２０を使用位置Ｃｐに係止したときに、車輪１３０が外枠１０の後方に突出して配設され、車輪１３０を接地させて外枠１０を支持させた状態で転がり運搬可能に構成される。
【００３２】
左右のベース部材１１０（１１０Ｌ，１１０Ｒ）は、それぞれ、平坦なベース辺部１１１と、このベース辺部１１１に設けられた球面軸受構造１１２、ベース辺部１１１における左右外側の側部が隣接する枠板（１２または１３）の配設位置に合わせて直角に曲げ起こされ枠板の内面に沿って上方に延びる側方辺部１１５、ベース辺部１１１の前方部が幕板１６の配設位置に合わせて直角に曲げ起こされ幕板１６の内面に沿って上方に延びる前方辺部１１６などからなり、前方辺部１１６を除く各部は外枠１０の左右の下端角部に合わせて左右対称に構成される。ベース部材１１０の板金部分は、例えば板厚2.3〜3.2mm程度の鋼板を打ち抜きおよび曲げ成型してコーナー金具状に成形し、ユニクロメッキ等の所要の表面処理を施して形成される。
【００３３】
ベース辺部１１１、前方辺部１１６には、それぞれ木ネジを挿通させるサラ孔形態のネジ挿通孔が形成され、側方辺部１１５にはリベットを挿通させる円孔形態のリベット挿通孔が形成されている。左右のベース部材１１０Ｌ，１１０Ｒは、それぞれ外枠１０の左右各コーナー部に突き当てることで位置決めされ、各部のネジ挿通孔に木ネジを通して締め込み、またリベット挿通孔にリベットを挿通してカシメることで、外枠１０の下端角部に固定される。これにより底板１５と左右それぞれの枠板１２，１３および幕板１６がベース部材１１０により連結固定され、強固な耐久強度を有する外枠１０が形成される。すなわち、左右のベース部材１１０Ｌ，１１０Ｒは、各キャスター機構１００Ｌ，１００Ｒの基体としてのみならず、外枠１０の強度を向上させる補強金具としても機能するように構成されている。
【００３４】
そして図５に示す右側のベース部材１１０Ｒでは、幕板１６に沿って上方に延びる前方辺部１１６の上端部が前方に屈曲され、幕板１６の上面に沿って前方に突出するヒンジプレート部１１６ａが形成され、その右側前端部にヒンジピン１１６ｂがカシメ固着されている。また図４に示す左側のベース部材１１０Ｌでは、幕板１６に沿って上方に延びる前方辺部１１６の上端部が前方に屈曲され、幕板１６の上面に沿って前方に延びる支持受け部３ａが形成されている。
【００３５】
すなわち、右側のベース部材１１０Ｒには、ヒンジプレート１１６ａおよびヒンジピン１１６ｂからなる開閉連結支持機構のヒンジ構造２ａが設けられ、左側のベース部材１１０Ｌには、開閉連結支持機構における支持受け部３ｂが設けられている。これにより、左右のベース部材１１０Ｌ，１１０Ｒが、それぞれ閉鎖支持機構３および開閉連結機構２における支持部を形成し、別途これらの構造を設ける場合に比べて部品点数および組立工数を削減できるとともに、前枠構造体ＰＳをベース部材１１０Ｌ，１１０Ｒで直接的に支持し外枠１０への負荷および歪みを低減させた構成になっている。
【００３６】
また、左右の側方辺部１１５には、支持ブラケット１２０が使用位置に配設されたときに、支持ブラケット１２０に支持された角度位置固定ボルト１５５と整合する位置に、角度位置固定ボルトの雄ネジ部１５５ｎを受容して螺合する雌ネジ部１１５ｎが側方辺部を貫通して形成されている（図８を参照）。なお、雌ネジ部１１５ｎは、側方辺部１１５の内側にカシメナットや溶接ナット等を固着して形成し、あるいは側方辺部１１５の外側に溶接ナット等を固着して枠板に形成したザグリ部に収容させるように形成してもよい。
【００３７】
ベース辺部１１１に設けられた球面軸受構造１１２は、ベース辺部１１１の前方に形成された円孔状のボール受け１１１ａと、このボール受け１１１ａに支持されるボールシャンク１１３、ボールシャンク１１３が上方に抜け落ちないように保持するとともに摺動および傾動自在に支持する押さえ金具１１４などから構成される。
【００３８】
ボールシャンク１１３は、球形の球状体１１３ａと、この球状体１１３ａに固着されて放射方向に延びる支軸１１３ｂとからなり、例えば所定直径の鋼球を利用した球状体１１３ａにみがき鋼棒を利用して加工成形した支軸１１３ｂを溶着または圧入固定して一体に形成し、硬質クロムメッキ等の所要の表面処理を施して構成される。球状体１１３ａから放射方向に延びる支軸１１３ｂの先端部には、ナット１２４と螺合し得る雄ネジ部が形成されている。押さえ金具１１４は、球状体１１３ａの球面形状に合わせて成形された球受け面１１４ａ、支軸１１３ｂを挿通させる支軸通孔１１４ｂ、およびサラ孔形態のネジ挿通孔を有して小判型に形成されたフランジ部１１４ｃなどからなり、例えばステンレス合金や快削黄銅などの金属合金の棒材を旋削およびフライス加工して構成される。
【００３９】
ここで、ボール受け１１１ａの開口径は、図６に示すように、球状体１１３ａの球形よりも小さく形成され、また底板１５の対応位置には球状体１１３ａの下面を支持する円錐状の球受け座１０４が形成されている。このため、ボール受け１１１ａに球状体１１３ａの下部を嵌め込み、その上方から押さえ金具１１４を覆い被せてフランジ部１１４ｃをベース辺部１１１にねじ止めすることで、ボールシャンク１１３がベース辺部１１１に水平旋回および任意方向に傾動自在に装着され、さらにベース部材１１０を外枠１０の下端角部に取り付けることで、球状体１１３ａが球受け面１１４ａと球受け座１０４との間に挟持されて上記変位可能に安定的に支持されるようになっている。なおボール受け１１１ａを球状体１１３ａの支持位置の球径に合わせた皿孔状に形成し、あるいはエンボス加工等により球状体１１３ａの球面形状に合わせた球面状に形成して、球状体１１３ａの球面の一部または全部を支持させるように構成してもよい。
【００４０】
一方、支持ブラケット１２０は、大別的には、下辺および左右の側辺を有して断面視コの字状に曲げ成形された本体部１２１と、この本体部１２１の左右の側辺が延出されて左右平行に延びるアーム部１２２，１２２とからなり、ベース部材と同様の金属材料を用い同様の加工手段により形成される。支持ブラケット１２０における左右側辺の内幅寸法は車輪１３０におけるボス部１３０ａの厚さに合わせて形成され、アーム部１２２，１２２の先端部には車軸１３５を挿通させる車軸孔が同一軸上に設けられている。
【００４１】
車輪１３０は、中心に円筒状のボス１３０ａ、外周に円環状の接地輪１３０ｂを有する車輪であり、図ではボス１３０ａと接地輪１３０ｂとの間を所定厚さの平板で連結したディッシュタイプの車輪を示す。ボス１３０ａの軸心には車軸１３５の軸外径よりもわずかに大きめの内径を有する車軸孔がボスを貫通して形成されている。接地輪１３０ｂの外周面（接地面）は曲率を有するタイコ状に形成されており、その場所での旋回（スピンターンやピボットターン）を含む小さい旋回半径で自由な方向への移動、すなわち小回りの効く転がり移動を可能に構成している。車輪１３０は樹脂材料または金属材料の何れも利用できるが、例えば、ナイロンやポリウレタン等の樹脂材料を用いて射出成型等の成形手段により一体に形成される。
【００４２】
車輪１３０は、ボス１３０ａを左右のアーム部１２２，１２２の間に緩挿して各車軸孔を連通状態に位置決めし、薄平リベット形態の車軸１３５を一方のアーム部側から他方のアーム部側に挿通させて先端をカシメることで、支持ブラケット１２０に回動自在に枢結される。
【００４３】
支持ブラケット１２０における本体部１２１の下辺には、基端側の左右中央部にボールシャンク１１３における支軸部１１３ｂの外径よりもわずかに大きめの内径を有する円孔が穿設され、その上方に同様の内径を有する軸受カラー１２３がカシメ圧着まはた溶着等の手段により固着されている。また本体部１２１の左右の側辺には、角度位置固定ボルト１５５の外径よりも幾分大きめの内径を有するボルト挿通孔１２５が同軸上に穿設されている。
【００４４】
角度位置固定ボルト１５５には、ボルト頭部から所定寸法離れた軸部外周に細い溝状のリング溝が形成されており、取り付け姿勢において外枠１０の内側となる側のボルト挿通孔１２５から他方のボルト挿通孔１２５に角度位置固定ボルト１５５を挿通して軸支させ、左右の側辺の間に位置するリング溝にＥリング１５６を嵌着することで、角度位置固定ボルト１５５が抜け落ちることなくボルトの軸廻りに回動自在に支持される。
【００４５】
支持ブラケット１２０は、ボールシャンクの支軸１１３ｂに軸受カラー１２３を嵌合させて支軸１１３ｂを挿通させ、軸受カラー１２３を通って上方に突出した支軸１１３ｂの雄ネジ部にナット１２４を螺合して締め込むことでベース部材１１０に取り付けられ、球面軸受構造１１２の作用により、球状体１１３ａを中心として任意方向に旋回および揺動可能に支持される。そしてこのように支持された支持ブラケット１２０を水平旋回させて、本体部１２１の側辺が側方辺部１１５と平行になる旋回角度位置に配設し、本体部１２１の下面が押さえ金具１１４の後方の上端角部に当接する揺動角度位置に配設したときに、角度位置固定ボルトの雄ネジ部１５５ｎと側方辺部の雌ネジ部１１５ｎとが位置整合して配設されるようになっている。
【００４６】
また支持ブラケット１２０は、上記のように支持ブラケット１２０を水平旋回および上下揺動させて、角度位置固定ボルトの雄ネジ部１５５ｎを側方辺部の雌ネジ部１１５ｎに螺合させた角度位置、より具体的には、支持ブラケット１２０が側方の枠板に沿って前後方向に延びる角度位置において、アーム部１２２の先端に枢結した車輪１３０のほぼ全体が外枠１０の後方に突出するような長さ寸法に設定されている。
【００４７】
このため、支持ブラケット１２０は、アーム部１２２の先端に枢結された車軸１３５が幕板１６に当接する角度位置〜本体部１２１の側辺が側方辺部１１５に当接する角度位置との間の角度範囲で左右に旋回可能に配設され、本体部１２１の下面が押さえ金具１１４の上端角部と当接する円錐状の角度範囲で揺動(傾動)可能に配設される。そして支持ブラケット１２０をこの角度範囲で旋回および揺動させることで、車輪１３０を外枠１０の内方に収容し、あるいは外枠１０の後方に突出して配設させることができる。以降、図９〜図１１の各図を併せて参照しながらキャスター機構の作用について説明する。なお図９および図１０はともにキャスター機構１００の使用状態を示す側面図（全体図および詳細図）、図１１はキャスター機構１００の収容状態を示す側面図である。
【００４８】
支持ブラケット１２０を上記角度範囲で旋回させると、支持ブラケット１２０の先端側が左右反対側の枠板の後端よりも内側を向く角度位置において、先端の車輪１３０が外枠１０の内方に収容される。また本体部１２１の側辺が側方辺部１１５と平行になる旋回角度位置に配設し、本体部１２１の下面が押さえ金具１１４の後方の上端角部に当接する揺動角度位置に配設したときに、角度位置固定ボルトの雄ネジ部１５５ｎと側方辺部の雌ネジ部１１５ｎとが位置整合して配設されるとともに、車輪１３０がキャビネットボックス１０の後方に突出して配設される。
【００４９】
そこで、支持ブラケット１２０の先端側を左右反対側の枠板の後端よりも内側を向く角度位置、例えば各図に示すように支持ブラケット１２０が幕板１６と平行に延びる角度位置に配設することで、車輪１３０をキャビネットボックス１０の内方に収容した収容位置Ｂｐに配置することができる。このとき、図７および図８に示すように、接地輪１３０ｂの外周面がベース辺部１１１の側縁角部と係合し、支持ブラケット１２０が幕板１６と平行に延びる角度位置から容易には旋回変位しないようになっている。なお、例えば前方辺部１１６に角度位置固定ボルト１５５のボルト頭部と係脱可能な掛止フックを配設し、支持ブラケット１２０が収容位置Ｂｐに配設されたときに、掛止フックをボルト頭部に係合させて収容位置Ｂｐに係止保持するように構成してもよい。
【００５０】
また、支持ブラケット１２０の先端側を外枠１０の後方に突出させて、角度位置固定ボルトの雄ネジ部１５５ｎと側方辺部の雌ネジ部１１５ｎとが位置整合して配設された角度位置で、角度位置固定ボルトの雄ネジ部１５５ｎを雌ネジ部１１５ｎに螺合させて締め込むことにより、車輪１３０を外枠１０の後方に突出させた使用位置Ｃｐに係止保持することができる。
【００５１】
使用位置Ｃｐでは、外枠１０の後方に突出して配設された車輪１３０が底板１５の底面よりも上方に位置しており、外枠１０を鉛直に正立させることで底板１５の底面を接地させ、キャスター機構を有しない従来のパチンコ機と同様に機体を自立させることができる。また外枠１０を所定角度以上後方に傾けると車輪１３０が床面に接地しキャスター機構１００によりパチンコ機ＰＭを支持させることができる。各図に示すキャスター機構１００では、外枠１０を後方に約５度傾斜させたときに車輪１３０が床面に接地し（以下、このように外枠１０を後方に傾けたときに車輪１３０が接地する際の外枠１０の傾斜角を「接地傾斜角」という。）、この接地傾斜角以上の後傾姿勢においてパチンコ機ＰＭの荷重がキャスター機構１００に支持される。
【００５２】
このため、パチンコ機ＰＭを出荷する際に、左右のキャスター機構１００を使用位置Ｃｐに設定しておけば、以降の運搬過程では、パチンコ機ＰＭを接地傾斜角を超えて後方に傾斜させることで、パチンコ機の荷重をキャスター機構１００に支持させ、作業性のよい運搬姿勢でパチンコ機ＰＭを容易に転がり運搬することができる。
【００５３】
例えば、運搬作業者がパチンコ機ＰＭの背後に立ち、外枠１０の上枠板１１または左右の枠板１２，１３を把持して外枠１０を後方に傾斜させ、パチンコ機ＰＭの荷重をキャスター機構１００に支持させた状態で機体を前方（ガラス扉４の前面方向）に押すことで、パチンコ機ＰＭを機体の前面方向に容易に転がり運搬することができる。またパチンコ機ＰＭを後傾してパチンコ機ＰＭの荷重をキャスター機構１００に支持させた状態で機体を後方（裏セット盤３０の背面方向）に引くことで、パチンコ機ＰＭを機体の後方に転がり運搬することができる。このとき把持構造５０のバーハンドル５２を把持して引っ張り移動することで、作業者が進行方向を向いた状態で容易に運搬することができる。そしてこのような運搬機構では、パチンコ機ＰＭの荷重を左右のキャスター機構１００Ｌ，１００Ｒに支持させるとともに、機体の上部を軽く支えて前方または後方に移動させる形態のため、前後方向の幅が薄く背が高いパチンコ機を安定して所望の方向に移動させることができる。
【００５４】
パチンコ機ＰＭの運搬過程でパチンコ機を仮置きするような場合には、上記後傾姿勢から機体を起仰させるだけでよい。パチンコ機ＰＭの傾斜角度が接地傾斜角未満になると車輪１３０が床面から離れ、鉛直姿勢では底板１５の底面全体が接地してパチンコ機ＰＭの荷重が底板１５に支持され、従来のパチンコ機と同様に機体を安定的に自立させることができる。このため、パチンコ機の出荷後、設置枠台に固定されるまでの運搬過程では、パチンコ機ＰＭを後傾させ、または立てるだけでキャスター機構１００を利用した運搬と底板１５に安定支持させた自立とを簡単に行わせることができ、仮置きをするたびに車輪１３０を収容位置Ｂｐに切り換えたり車輪を着脱するような煩雑な作業を必要としない。
【００５５】
またキャスター機構１００では、使用位置Ｃｐを、車輪全体が外枠１０の後方に突出した低い位置に設けることで、接地傾斜角を約５度という小さな角度に設定している。このため図９中（および図１０中）に二点鎖線で付記するように、左右の車輪１３０と底板１５の後端縁部をともに接地させた接地傾斜角の角度位置で、パチンコ機ＰＭを立設保持させることも可能になっており、例えば運搬途中で移動を一旦停止するようなときに、パチンコ機を接地角度位置に立設させることで機体を支える力を緩めることができ、作業者の労力軽減と迅速な運搬とを両立した構成になっている。
【００５６】
一方、キャスター機構１００を使用しないとき、例えば、製造工場内での組み立て工程や複数台のパチンコ機ＰＭをパレットに積載して搬送するようなとき、あるいはパチンコ機ＰＭが遊技施設の設置枠台に固定された後などには、図１１に示すように、車輪１３０を外枠１０の内方に収容した収容位置Ｂｐに設定することができる。
【００５７】
収容位置Ｂｐでは、支持ブラケット１２０が幕板１６に沿って配設され車輪１３０が底板１５の上方に位置して外枠１０の内方にコンパクトに収容された状態で係止保持される。このため、例えば製造工場内の組み立て工程や、外枠１０の下部左右を対向する凹溝状の支持部で保持するパレットに積載して搬送する際などに、車輪１３０が組立ラインの構成機器に当接したりパレットの支持部に当接したりすることがなく、既存設備を有効に活用することができる。また遊技施設においても外枠１０の下部後方に位置する遊技島の設備機器等と干渉するおそれがなく、従来のパチンコ機と同様に取り扱うことができる。
【００５８】
またナット１２４を緩めて支持ブラケット１２０を着脱することで、車輪１３０を含むキャスター機構１００の主要構造を着脱することができ、これによりキャスター機構１００を使用しないときに支持ブラケット１２０を取り外すことで、底板１５の上方に空間を確保して他の用途に有効に活用することができる。
【００５９】
従って、以上説明した構成によれば、既存の工場設備や島設備（設置枠台の周辺設備）に影響を与えることなく、パチンコ機の搬出から設置に至る運搬作業の負担を軽減して作業性の良好な運搬機構を提供することができる。
【００６０】
なお、キャスター機構１００に、図１２に示すようなロック機構１７０を付設した構成とすることも好ましい実施形態である。このロック機構１７０は、左右の枠板１２，１３にねじ止めされた掛止ブラケット１７１と、この掛止ブラケット１７１に係合支持されて下垂する固定ロッド１７５とからなる。掛止ブラケット１７１には、上下および前方に延びるＬ字状のガイド溝１７１ｃが形成され、固定ロッド１７５の上端に固着されてガイド溝１７１ｃに係着された係合ピン１７５ｃを介して、固定ロッド１７５がガイド溝１７１ｃに沿った上下・前後方向にスライド変位可能および係合ピン１７５ｃの軸廻りに揺動変位可能に支持される。固定ロッド１７５の下端には角度位置固定ボルト１５５と係脱自在な係合溝１７５ｅが下方に開いて設けられている。
【００６１】
固定ロッド１７５は、角度位置固定ボルトの雄ネジ部１５５ｎを雌ネジ部１１５ｎに螺合締結してキャスター機構１００を使用位置Ｃｐに設定した状態で、係合ピン１７５ｃをガイド溝１７１ｃに沿って昇降させ、また係合ピン１７５ｃの軸廻りに前後に揺動させることで、下端の係合溝１７５ｅを角度位置固定ボルト１５５に係合させることができ、この係合状態で固定ロッド１７５の上端部を前方に揺動させて係合ピン１７５ｃをガイド溝１７１ｃの前端側に係合させることで、角度位置固定ボルト１５５を上方から押さえるように支持する（図１０に二点鎖線で付記する固定ロッド１７５を参照）。
【００６２】
これにより、パチンコ機ＰＭの荷重をキャスター機構１００に支持させたときに、その反力として角度位置固定ボルト１５５に作用する剪断力および螺合部を支点とする上向きのモーメントに抗して角度位置固定ボルト１５５を支え、相互に螺合する角度位置固定ボルトの雄ネジ部１５５ｎおよび側方辺部の雌ネジ部１１５ｎに生じる剪断および曲げ応力を低減するとともに、使用位置Ｃｐでの係止状態をより強固に保持して安定性の高い運搬機構を提供することができる。なお左右の枠板１２，１３には、キャスター機構１００を収容位置Ｂｐに設定した状態おいて、固定ロッド１７５を係止保持する掛止フック１７６が設けられており（図１０および図１１を参照）、収容位置において固定ロッド１７５が自由揺動して周辺の遊技構成部品に当接したり、振動で騒音を発生したりしないようになっている。
【００６３】
さて、以上のようなキャスター機構を備えたパチンコ機にあって、パチンコ機を運搬する際、特に機体を後方に引っ張って転がり運搬する際に利便性の高い把持構造について、図１３および図１４に他の構成例を示しており、以下簡単に説明する。図１３に示す把持構造６０は、上枠板１１の内側に下向きに突出するフック状のハンドル６２を固着した固定形態の把持構造である。このような把持構造６０によれば、簡明な構成で低コストに実施できることに加え、運搬作業者がハンドル６２に指を掛け易く、かつ外枠１０の上部位置を直接的に支持することでパチンコ機の姿勢変化を容易に制御することができる。
【００６４】
また図１４に示す把持構造７０は、上枠板１１の後端部がＵ字状に切り欠かれて形成されたフィンガーポケット７１と、フィンガーポケットの左右にザグリ加工されたハンドル取着部にねじ止めされたハンドル７２とからなり、フィンガーポケット７１に指を入れてハンドル７２を把持する形態の把持構造である。このような構成によれば、上記把持構造６０と同様に簡明な構成で低コストに実施できることに加えて、把持構造７０の各構成部品が外枠１０の内・外周および後方にも突出することがなく、裏セット盤や設置枠台等の周辺部材との関係で把持構造の設置スペースが限られるような遊技機でも、干渉や挟み込みなどを生じない把持構造を構成することができる。また、図中に二点鎖線で付記するように、ハンドル７２を撓み変形容易な樹脂製のバンド等で形成し、使用時に後方に引き出して把持するように構成してもよい。
【００６５】
なお、以上説明したキャスター機構１００の実施形態では、使用位置Ｃｐにおいて車輪１３０が底板１５の底面よりも上方に位置し、パチンコ機ＰＭを正立させたときに車輪１３０が床面から浮き上がるように構成した例を示したが、使用位置Ｃｐにおいて車輪１３０が底板１５の底面と同一平面上に位置するように、換言すれば、パチンコ機ＰＭを正立させたときに底板１５の底面が床面に接地するとともに車輪１３０も同時に接地するように（すなわち接地傾斜角が０度になるように）構成してもよい。このような構成によれば、パチンコ機ＰＭをわずかに後傾させるだけで転がり運搬できることに加えて、パチンコ機を正立させたときの前後方向の支持幅を底板単体のときよりも増大させることができ、自立状態（仮置き状態）の安定性をさらに向上させることができる。
【００６６】
また外枠１０に対して左右方向に旋回変位可能な支持ブラケット１２０の先端部に、使用位置Ｃｐにおいて前後方向に回動する車輪１３０を設けた構成を例示したが、転動体は前後方向にのみ回動する車輪やローラーのみならず、これらの車輪等を鉛直軸廻りにも回動自在に支持した形態（いわゆる自在タイプのキャスターを用いた形態）や、転動体が「球体」で任意方向に回動自在なボールキャスターを用いた形態などであってもよい。
【００６７】
さらに、実施形態では縦型遊技機の代表例としてパチンコ機を採り上げ、パチンコ機の外枠に運搬機構を設けた例を示したが、本発明はこのような形態の遊技機（弾球遊技機）に限るものではなく、上下左右の枠板を有して枠状に形成され前方に開閉可能に連結された遊技構造体を閉止保持する基枠体を備えた縦型遊技機であれば、他の形態の遊技機についても適用できる。図１５には、このような他形態の縦型遊技機に運搬機構を設けた例としてスロットマシンを示しており、以下簡潔に説明する。なお前述したキャスター機構１００と同様部分に同一番号を付して重複説明を省略する。
【００６８】
スロットマシンＳＭは、上下左右の枠板１１′，１５′，１２′，１３′を有して外殻方形の枠状に形成された外枠１０′の後面開口に背板１９が組み付けられて箱枠状のキャビネットボックスが形成され、その前面開口部にリール装置の３つのリールを透視させる透視窓やスタートレバー、ストップボタン、メダル受け、画像表示装置などが組み付けられた遊技構造体ＰＳ′が前方に横開き開閉可能に連結され、常には施錠装置を利用して前面開口を塞ぐ閉鎖状態に保持される。
【００６９】
外枠１０の下部左右には、前述したキャスター機構１００（１００Ｌ，１００Ｒ）とほぼ同様の構成を有するキャスター機構１００′（１００Ｌ′，１００Ｒ′）が設けられ、背板１９にはキャスター機構１００′と隣接する下部領域を開閉可能な背板開閉扉１９ｇが設けられている。
【００７０】
運搬作業者は背板開閉扉１９ｇを開放して左右のキャスター機構１００′を使用位置Ｃｐに設定し、スロットマシンＳＭを接地傾斜角を超えて後方に傾斜させることで、スロットマシンＳＭの荷重をキャスター機構１００′に支持させることができ、外枠１０′の上部に設けられた把持構造５０等を利用して機体の前後方向に容易に転がり運搬することができる。またスロットマシンＳＭの運搬過程においてスロットマシンを仮置きするような場合には、上記後傾姿勢から正立姿勢に起仰させるだけでよく、底板１５′の底面を接地させて安定的に自立させることができる。さらにキャスター機構１００′を使用しないときには、左右のキャスター機構１００Ｌ′，１００Ｒ′を収容位置Ｂｐに設定して背板開閉扉１９ｇを閉鎖することで、キャスター機構１００′をキャビネットボックスの内部にコンパクトに収容することができる。
【００７１】
従って、キャスター機構１００をスロットマシンＳＭに適用した場合にも、前述したパチンコ機ＰＭに適用した場合と同様の効果を得ることができ、スロットマシンの搬出から設置に至る運搬作業の負担を軽減して作業性の良好な運搬機構を提供することができる。
【００７２】
なおスロットマシンの外枠では、一般的構成として、パチンコ機の外枠１０のような幕板（１６）が設けられない。このため、図１５に例示したベース部材１１０′（１１０Ｌ′，１１０Ｒ′）では前方辺部（１１６）を設けずに底板１５′と側方の枠板１２′，１３′とを連結するＬ字状に形成した構成例を示したが、例えばキャスター機構１００′の前方に位置する底板１５′の上面に左右の枠板１２′，１３′を結んで角棒状または板状の補強連杆を設け、ベース部材に形成した前方辺部を補強連杆に突き当ててねじ止めするように構成してもよい。
【図面の簡単な説明】
【００７３】
【図１】本発明に係る運搬機構を備えた縦型遊技機の一例として示すパチンコ機の正面図(ａ)および背面図(ｂ)である。
【図２】第１構成形態の把持構造を斜め上方から見た斜視図である。
【図３】上記把持構造の側面図である。
【図４】本発明に係る運搬機構における背面視左側のキャスター機構を分解状態で示す斜視図である。
【図５】本発明に係る運搬機構における背面視右側のキャスター機構を分解状態で示す斜視図である。
【図６】上記キャスター機構における球面軸受構造の側断面図である。
【図７】上記キャスター機構の背面図である。
【図８】上記キャスター機構の平面図である。
【図９】上記キャスター機構を使用位置に設定した状態での運搬状況を示す側面図（全体図）である。
【図１０】上記キャスター機構を使用位置に設定した状態での運搬状況を示す側断面図（詳細図）である。
【図１１】上記キャスター機構を収容位置に設定した状態を示す側面図である。
【図１２】上記キャスター機構に付設し得るロック機構の斜視図である。
【図１３】第２構成形態の把持構造を斜め上方から見た斜視図である。
【図１４】第３構成形態の把持構造を斜め上方から見た斜視図である。
【図１５】運搬機構を備えた縦型遊技機の他の構成例として示すスロットマシンの正面図(ａ)および背面図(ｂ)である。
【符号の説明】
【００７４】
ＰＭ  パチンコ機
ＳＭ  スロットマシン
ＰＳ，ＰＳ′  遊技構造体
Ｂｐ  収容位置
Ｃｐ  使用位置
１  上側の開閉連結機構（開閉連結支持機構）
（１ａ，１ｂ  上側のヒンジ構造）
２  下側の開閉連結機構（開閉連結支持機構）
（２ａ，２ｂ  下側のヒンジ構造）
３  閉鎖支持機構（開閉連結支持機構）
（３ａ  支持受け部，３ｂ  座部）
４  ガラス扉
５  遊技盤
６  上球皿
７  下球皿
８  発射ハンドル
９  遊技球発射装置
１０，１０′  外枠
１１，１１′  上枠板
１２，１２′  左枠板
１３，１３′  右枠板
１４  下枠板（１５，１５′  底板、１６  幕板）
１９  背板（１９ｇ  背板開閉扉）
２０  前枠
２８  座部
３０  裏セット盤
５０  把持構造（第１構成形態）
５１  ハンドルベース
（５１ａ  プレート部、５１ｂ  支持辺部、５１ｃ  支持孔、５１ｄ  固定辺部）
５２  バーハンドル（５２ａ  把持部、５２ｂ  脚部、５２ｃ  係合軸部）
５３  係止リング
６０  把持構造（第２構成形態）
６２  ハンドル
７０  把持構造（第３構成形態）
７１  フィンガーポケット
７２  ハンドル
１００，１００′  キャスター機構
（１００Ｌ，１００Ｌ′  背面視左側のキャスター機構）
（１００Ｒ，１００Ｒ′  背面視右側のキャスター機構）
１０４  球受け座
１１０，１１０′  ベース部材
（１１０Ｌ，１１０Ｌ′  背面視左側のベース部材）
（１１０Ｒ，１１０Ｒ′  背面視右側のベース部材）
１１１  ベース辺部（１１１ａ  ボール受け）
１１２  球面軸受構造
１１３  ボールシャンク（１１３ａ  球状体、１１３ｂ  支軸）
１１４  押さえ金具（１１４ａ  球受け面、１１４ｂ  支軸通孔、１１４ｃ  フランジ部）
１１５  側方辺部（１１５ｎ  雌ネジ部）
１１６  前方辺部（１１６ａ  ヒンジプレート部、１１６ｂ  ヒンジピン）
１２０  支持ブラケット
１２１  本体部
１２２  アーム部
１２３  軸受カラー
１２４  ナット
１２５  ボルト挿通孔
１３０  車輪（１３０ａ  ボス、１３０ｂ  接地輪）
１３５  車軸
１５０  係止構造
１５５  角度位置固定ボルト（１５５ｎ  雄ネジ部）
１５６  Ｅリング
１７０  ロック機構
１７１  掛止ブラケット（１７１ｃ  ガイド溝）
１７５  固定ロッド（１７５ｃ  係合ピン、１７５ｅ  係合溝）
１７６  掛止フック
【図１】
2005253554.tif 000003
【図２】
2005253554.tif 000004
【図３】
2005253554.tif 000005
【図４】
2005253554.tif 000006
【図５】
2005253554.tif 000007
【図６】
2005253554.tif 000008
【図７】
2005253554.tif 000009
【図８】
2005253554.tif 000010
【図９】
2005253554.tif 000011
【図１０】
2005253554.tif 000012
【図１１】
2005253554.tif 000013
【図１２】
2005253554.tif 000014
【図１３】
2005253554.tif 000015
【図１４】
2005253554.tif 000016
【図１５】
2005253554.tif 000017